【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
多重キャリア通信システムにおいて情報をマルチキャストする方法であって、
伝送ブロックおよび少なくとも１つの第１ＴＤＭパイロットシンボルを含む一連のフレームを生成すること；
前記伝送ブロックのデコーディングを容易にするために、前記一連のフレーム内の広域波形とローカルエリア波形との間の遷移に位置する少なくとも１つの第２ＴＤＭパイロットシンボルを挿入すること；
前記少なくとも１つの第２ＴＤＭパイロットシンボルを時間同期または自動利得制御（ＡＧＣ）ブートストラップのために使用すること、を含む方法。
【請求項２】
ＯＦＤＭ（直交周波数分割多重）を利用するマルチキャリア通信システムを使用することをさらに含む請求項１の方法。
【請求項３】
チャネル推定用に前記少なくとも１つの第２ＴＤＭパイロットシンボルを使用することをさらに含む請求項１の方法。
【請求項４】
ローカルエリア放送と広域のデータ放送との間に前記少なくとも１つの第２ＴＤＭパイロットシンボルを位置づけることをさらに含む請求項１の方法。
【請求項５】
前記少なくとも１つの第２ＴＤＭパイロットシンボルに時差インターレースパターンを適用することをさらに含む請求項１の方法。
【請求項６】
前記時差インターレースパターンは、（０，３，６，１，４，７，２，５）または（２，６）の組から選択される請求項５の方法。
【請求項７】
一連のフレーム当たり少なくとも１０のＴＤＭパイロットシンボルを挿入することをさらに含む請求項１の方法。
【請求項８】
前記少なくとも１つの第２ＴＤＭパイロットシンボル用に、少なくとも１つのスロットからインターレースへのマッピングを決定することをさらに含む請求項１の方法。
【請求項９】
ローカル境界および広域境界に１つのＴＤＭパイロットシンボルを有しているパケットについて、前記少なくとも１つの第２ＴＤＭパイロットシンボルが偶数のインターレースを用いるのを容易にするために、奇数の広域シンボルＷを使用することをさらに含む請求項８の方法。
【請求項１０】
広域識別子（ＷＩＤ）およびローカルエリア識別子（ＬＩＤ）に基づいて、前記少なくとも１つの第２ＴＤＭパイロットシンボル用のスクランブルパラメータを決定することをさらに含む請求項１の方法。
【請求項１１】
広域からローカルエリアへの遷移を決定することをさらに含み、スロット０を前記ＬＩＤのデフォルト値を用いてスクランブルし、スロット１、２および３をローカルエリアに対応する前記ＬＩＤを用いてスクランブルする請求項１０の方法。
【請求項１２】
ローカルエリアから広域への遷移を決定することをさらに含み、スロット１、２および３を前記ＬＩＤのデフォルト値を用いてスクランブルし、スロット０をローカルエリアに対応する前記ＬＩＤを用いてスクランブルする請求項１０の方法。
【請求項１３】
前記少なくとも１つの第２ＴＤＭパイロットシンボル内の各スロットに関連づけられた１組のマスク値を決定することをさらに含む請求項１の方法。
【請求項１４】
パイロット情報を決定する方法であって、
一連のフレームについて少なくとも１つの第１ＴＤＭパイロットシンボルおよび少なくとも１つの第２ＴＤＭパイロットシンボルを決定すること；
広域波形からローカルエリア波形への１つ以上の遷移における少なくとも１台の受信機に対し、前記少なくとも１つの第２ＴＤＭパイロットシンボルを送信すること；および
受信機処理を容易にするために、前記少なくとも１つの第２ＴＤＭパイロットシンボルの１つ以上のスロットのエネルギーを調整することを含む方法。
【請求項１５】
前記受信機における自動利得制御を支援するために、前記少なくとも１つの第２ＴＤＭパイロット信号の合計エネルギーの平衡を保つことをさらに含む請求項１４の方法。
【請求項１６】
先行する多重化用のパイロットスロットのエネルギーレベルを合計エネルギーの８分の１に設定することをさらに含む請求項１４の方法。
【請求項１７】
続く多重化用のパイロットスロットのエネルギーレベルを合計エネルギーの８分の１に設定することをさらに含む請求項１４の方法。
【請求項１８】
受信機で確定した処理ウィンドウ長を考慮してスロットエネルギーをスケーリングすることをさらに含む請求項１４の方法。
【請求項１９】
パイロットスロット０−３について、１）｛Ｅ／４，Ｅ／４，Ｅ／４，Ｅ／４｝、２）｛Ｅ／８，７Ｅ／２４，７Ｅ／２４，７Ｅ／２４｝、３）｛Ｅ／８，Ｅ／８，３Ｅ／８，３Ｅ／８｝（ただし、Ｅは合計シンボルエネルギー）の少なくともいずれかのエネルギー割り当てを決定することをさらに含む請求項１４の方法。
【請求項２０】
前記少なくとも１つの第２ＴＤＭパイロットシンボルから直前のＴＤＭパイロットシンボルまでのスロットマッピング制約を適用することをさらに含む請求項１４の方法。
【請求項２１】
広域用の、スロットからインターレースへのマップのタイムシフトとして、ローカルエリア用の、スロットからインターレースへのマップを得ることをさらに含む請求項１４の方法。
【請求項２２】
広域データとローカルエリアデータとの間の境界の位置に関する情報を送信することをさらに含む請求項１４の方法。
【請求項２３】
無線システム用パイロットシンボルプロトコルであって、
少なくとも１つの第１ＴＤＭパイロットシンボル、および、一連のフレーム内の広域波形とローカルエリア波形の間の１つ以上の遷移に位置する少なくとも１つの第２ＴＤＭパイロットシンボルを決定する手段；
無線ネットワークに前記一連のフレームを送信する手段；および
前記一連のフレームを受信して無線放送情報を決定する手段を具備する無線システム用パイロットシンボルプロトコル。
【請求項２４】
機械実行可能な命令が格納された、機械可読媒体であって、
少なくとも１つの第１ＴＤＭパイロットシンボル、および、一連のフレーム内の広域波形とローカルエリア波形の間の１つ以上の遷移に位置する少なくとも１つの第２ＴＤＭパイロットシンボルを決定すること；
前記第１および第２ＴＤＭパイロットシンボルを少なくとも１台の受信機に伝達すること；および
前記受信機で前記ＴＤＭパイロットシンボルをデコードすることを含む機械可読媒体。
【請求項２５】
時間同期、チャネル推定、またはＡＧＣブートストラップを前記第１および第２ＴＤＭパイロットシンボルを考慮して決定することをさらに含む請求項２４の機械可読媒体。
【請求項２６】
データ構造が格納された機械可読媒体であって、
少なくとも１つの第１ＴＤＭパイロットシンボル、および、一連のフレームの広域波形とローカルエリア波形の間の１つ以上の遷移に位置する少なくとも１つの第２ＴＤＭパイロットシンボルを決定すること；
前記一連のフレームをＭＡＣ層に結合させること；および
前記一連のフレームから無線ネットワーク放送を決定することを含む機械可読媒体。
【請求項２７】
少なくとも１つの第１ＴＤＭパイロットシンボル、および、一連のフレームにおける広域波形とローカルエリア波形の間の１つ以上の境界に位置する少なくとも１つの第２ＴＤＭパイロットシンボルを受信するコンポーネント、および無線ネットワーク上の前記一連のフレームを復号する受信機に関連づけられた少なくとも１台のプロセッサ含むメモリを具備する無線通信装置。
【請求項２８】
無線ネットワーク内の基地局動作用の装置であって、
少なくとも１つの第１ＴＤＭパイロットシンボルを送信し、無線放送に従うシンボルサブセットにより少なくとも１つの第２ＴＤＭパイロットシンボルを送信するコンポーネントを含むメモリ；および
前記無線放送のための前記一連のフレームを符号化する送信機に関連づけられた少なくとも１台のプロセッサを具備する装置。
【請求項２９】
データを送信する方法であって、
少なくとも１つの第１ＴＤＭパイロットシンボルと、１つ以上のローカル波形境界に関連づけられた少なくとも１つの第２ＴＤＭパイロットシンボルおよび1つ以上の広域波形境界に関連づけられた少なくとも１つの第３ＴＤＭパイロットシンボルを有するデータパケットとを含む一連のフレームを生成すること；および
前記少なくとも１つの第１ＴＤＭパイロットシンボル、および前記少なくとも１つの第２ＴＤＭパイロットシンボルおよび前記少なくとも１つの第３ＴＤＭパイロットシンボルを有するデータパケットを送信することを含む方法。